(57)【要約】【課題】血圧測定に先立って、水銀柱内に分離した水銀を水銀タンク内に有効に回収すると共に、血圧測定のための操作が簡単で、短時間に正確な血圧測定を可能とする水銀柱血圧計を提供する。【解決手段】血圧測定用の水銀柱９１を収納する本体９０部と、本体９０内において所定量の水銀を蓄え、水銀柱９１との間で水銀が連通する水銀タンク９２と、被診断者に巻き付けられた腕帯９４を介して水銀タンク９２内を加圧又は減圧可能な電動ポンプ９６と、水銀タンク９２内の圧力を水銀柱９１内の水銀の高さで表示する水銀柱９１とを有し、電動ポンプ９６は、（ａ）血圧測定に先立って、水銀タンク９２内の圧力を減圧することにより水銀柱９１内に残留した水銀を水銀タンク９２内に回帰回収し、（ｂ）血圧測定時には、水銀タンク９２内の圧力を加圧することにより、水銀タンク９２内の水銀を水銀柱９１の所定レベルまで上昇させて血圧測定を行う。【選択図】図１
2007319499.tif 000002
【特許請求の範囲】
【請求項１】
血圧測定用の水銀柱を収納する本体部と、
前記本体部内において所定量の水銀を蓄え、前記水銀柱との間で水銀が連通する水銀タンクと、
被診断者に巻き付けられた腕帯を介して前記水銀タンク内を選択的に加圧及び減圧可能な電動ポンプ手段と、
前記水銀タンク内の圧力を前記水銀柱内の水銀の高さで表示する水銀柱と、
を有し、
前記電動ポンプ手段は、
（ａ）血圧測定に先立って、前記水銀タンク内の圧力を減圧することにより、前記水銀柱内に残留した水銀を前記水銀タンク内に回収し、
（ｂ）血圧測定時には、前記水銀タンク内の圧力を加圧することにより、前記水銀タンク内の水銀を前記水銀柱の所定レベルまで上昇させる、
ことを特徴とする水銀柱血圧計。
【請求項２】
前記電動ポンプ手段は、直流電動モータにより駆動され、
（ａ）前記直流モータを一の方向に回転駆動させることにより前記水銀タンク内の圧力を加圧し、
（ｂ）前記直流モータを他の方向に回転駆動させることにより前記水銀タンク内の圧力を減圧する、
ことを特徴とする請求項１に記載の水銀柱血圧計。
【請求項３】
前記直流モータを他の方向に回転駆動は、１秒以下の所定の時間で自動停止させることを特徴とする請求項２に記載の水銀柱血圧計。
【請求項４】
前記電動ポンプの電源は、電池又は商用電源から所定の直流電圧を発生させる電源装置であることを特徴とする請求項２又は３に記載の水銀柱血圧計。
【請求項５】
前記電動ポンプ及び前記電源は、前記本体部内に収納されることを特徴とする請求項２又は３に記載の水銀柱血圧計。
【請求項６】
前記本体部には、前記電動ポンプの起動をオン／オフする電源スイッチと、前記直流モータを他の方向に回転させるための方向スイッチと、が設けられることを特徴とする請求項３に記載の水銀柱血圧計。
【請求項７】
血圧測定用の水銀柱を収納する本体部と、
前記本体部内において所定量の水銀を蓄え、前記水銀柱との間で水銀が連通する水銀タンクと、
被診断者に巻き付けられた腕帯を介して前記水銀タンク内を加圧する電動ポンプ手段と、
前記水銀タンク内の圧力を前記水銀柱内の水銀の高さで表示する水銀柱と、
を有し、
前記電動ポンプは、一方向に回転する電動モータにより駆動され、
（ａ）前記水銀柱の上端部に設けられた上部開口から圧縮空気を注入することにより前記水銀タンク内の圧力を減圧し、
（ｂ）前記水銀タンクに連通する下部開口から圧縮空気を注入することにより前記水銀タンク内の圧力を加圧する、
ことを特徴とする水銀柱血圧計。
【請求項８】
前記電動ポンプの電源は、電池又は商用電源から所定の直流電圧を発生させる電源装置であることを特徴とする請求項７に記載の水銀柱血圧計。
【請求項９】
前記電動ポンプ及び前記電源は、前記本体部内に収納されることを特徴とする請求項８に記載の水銀柱血圧計。
【発明の詳細な説明】
【技術分野】
【０００１】
本発明は、水銀柱を本体部に収納して携帯される水銀柱血圧計に関し、特に、血圧測定時において、水銀柱内に残留した水銀を水銀タンク内に回収する機能を有する水銀柱血圧計に関する。
【背景技術】
【０００２】
水銀柱血圧計に用いられている水銀は、常温において液体の金属であって温度変化に対して比重変動が小さいことから、従来から人体の血圧を最も正確に測定可能な血圧計の測定媒体として広く使用されてきている。
【０００３】
図４は、水銀柱血圧計の原理的な構成を示す説明図である。図４に示すように、一般的な水銀柱血圧計は、水銀柱として使用されその上端が開放されたガラス管８１と、このガラス管８１と水銀が連通するようにした水銀溜りを有する水銀タンク９２と、水銀タンク９２の内部に注入された一定量の水銀８３と、水銀タンク９２内に空気圧を加える加圧手段（図５の９５）から空気を供給する送気管８４と、を備える。
【０００４】
ここで、送気管８４内に加えられる空気圧には、被診断者の例えば上腕部の脈動に起因する圧力が付加される。また、送気管８４を介して、水銀タンク９２内に空気圧（空気圧）を送り込むと、ガラス管８１内に水銀８３が上昇する。この上昇値は、前記空気圧に比例する。ガラス管８１の外部には、ガラス管８１に沿って、水銀８３の上面が何ミリメートル上昇したかを示す目盛り（単位：ｍｍＨｇ）が刻まれている。ここで、前記の上昇値として、予想される血圧よりも高い圧力を掛けた後、この空気圧を開放すると、ガラス管８１内の水銀８３は、水銀タンク９２内の圧力の低下に伴って徐々に下降する。そこで、別途に用意された聴診器により、例えば、被診断者の脈音（コロトコフ音）を聴取し、最初に前記脈音が聞こえた時のガラス管８１内の水銀８３の上昇位を最高血圧値とし、前記脈音が消失した時のガラス管８１内の水銀８３の上昇位を最低血圧値としている。
【０００５】
図５は、従来の水銀柱血圧計３０の一般的な構成を示す説明図である。図５に示すように、従来の一般的な水銀柱血圧計３０は、後述する水銀柱９１を収納して保護する本体部９０と、圧力目盛り付きの水銀柱９１と、水銀柱９１と連結され、水銀を溜めた水銀タンク９２と、水銀タンク９２に空気を送り込むチューブ９３と、チューブ９３と連結され、被診断者の上腕部に巻き付ける腕帯９４と、腕帯９４と連結され、腕帯９４内に空気を送り込む送気球９５と、を備える。
【０００６】
従来の一般的な水銀柱血圧計３０は、被診断者の脈音（コロトコフ音）を聴取する聴診器（図示せず）と共に使用される。また、携帯時や非測定時に、水銀タンク９２内に収納された水銀が水銀柱９１内に侵入することを防止するためのコック（図示は省略）を備える。
【０００７】
以下、図５に示す従来の水銀柱血圧計３０の原理と使用法を説明する。
水銀柱９１内の水銀上端が圧力目盛りの零点（〔０ｍｍＨｇ〕の位置）付近に下降していることを確認した後、送気球９５を手操作で圧縮／開放を繰り返すことにより、送気球内に設けられた空気弁の弁作用によりチューブ９３を介して水銀タンク９２内に空気圧（空気圧）を送り込む。これにより、水銀タンク９２内の圧力が増加して水銀柱内において水銀が押し上げられて上昇する。
【０００８】
水銀柱９１の側部には、水銀柱９１に沿って、前記水銀が何ミリメートル上昇したかを示す目盛り（即ち、〔ｍｍＨｇ〕）が刻まれている。ここで、送気球９５を手操作で圧縮／開放を繰り返す前記操作により、前記の上昇値として、被診断者の予想される血圧値よりも高い空気圧を加圧した後に、送気球９５内の空気を徐々に大気中に開放すると、水銀柱９１内の前記水銀は下降する。そこで、腕帯９４に聴音部が接続された聴診器（図示は省略）を用いて前述の脈音を聴取し、最初に前記脈音が聞こえた時の水銀柱９１内の水銀上面を最高血圧値とし、前記脈音が消失した時の水銀柱９１内の水銀上面を最低血圧値とする。
【０００９】
しかし、このような水銀柱血圧計は携帯可能であり、持ち運びしている時に水銀柱血圧計に一定以上の振動や衝撃を与えると、水銀タンク９２内の水銀の一部が、水銀タンク９２内の水銀溜りから遊離して、圧力目盛りの零点（圧力零を示す基準点）を超えて水銀柱１内に侵入してしまう事態が多々生じてしまう。この場合、遊離した水銀を水銀タンク９２内の水銀溜りに回収しなければ正確な血圧測定ができない。ところが、このように水銀柱９１内に遊離した水銀を水銀タンク９２内の水銀溜りに回収するには、水銀柱９１内に入り込んだ空気層を取り除く必要があることから非常に困難であった。
【００１０】
図６は、このような従来の水銀柱血圧計の測定開始時点における水銀柱内の水銀の状態を例示する説明図である。
図６（ａ）は水銀が圧力目盛りの零点（〔０ｍｍＨｇ〕の位置）を超えて水銀柱内に侵入した状態を示し、図６（ｂ）は水銀が圧力目盛りの零点（〔０ｍｍＨｇ〕の位置）を超えて水銀柱内に侵入し、その侵入分が空気層を介して３層に分離した状態を示し、図６（ｃ）は水銀が圧力目盛りの零点（〔０ｍｍＨｇ〕の位置）を超えて水銀柱内に侵入し、その侵入分が２つの空気層を介して３層に分離した状態を示している。
【００１１】
このため、従来から、水銀柱の内部に空気層を介して残留する水銀を回収するために、水銀回帰機構を設けた水銀柱血圧計が提案されている（例えば、特許文献１参照。）。
【特許文献１】登録実用新案第３１０６３２１号公報
【発明の開示】
【発明が解決しようとする課題】
【００１２】
しかし、特許文献１に開示された従来の水銀柱血圧計における水銀の回帰機構は、血圧計のケースユニットの中に、上蓋と連動する水銀回帰機構及び空気入れ機構を設置し、前記ケースユニットの上蓋が裏蓋と閉じ合う時、空気入れ機構を連動駆動して水銀回帰機構の水銀柱の中に空気を注入することによって、水銀柱の中の水銀を水銀回帰機構の水銀収納筒に回帰させるものであって、上蓋と裏蓋の連結部分には上向きの弧状の転動体ガイドが設けてあるケースユニットと、水銀収納筒及び水銀柱を備えた台座と、当該台座には水銀が水銀柱と水銀収納筒の間を流通できる流通路があり、且つ前記台座の流通路には、裏蓋に固定された連接装置と枢接した連動バルブを設け、上蓋が裏蓋に対して開閉する時、前記連動バルブを駆動して回転させることにより水銀収納筒及び水銀柱間の流通路を開閉させ、台座からより遠く離れた水銀柱の一端に気体を注入する注気孔が設けてある水銀回帰機構と、上蓋の弧状転動ガイド上方に設置されて上蓋の開閉動作に伴って円弧状に転動することが出来る空気入れ機構と、を含むものであり、水銀を回帰させるための機構が非常に複雑であって、高コストにならざるを得なかった。
【００１３】
また、従来の水銀柱血圧計は、送気球の圧縮操作を必要としていたため、血圧測定のための操作が煩雑であり、血圧測定に比較的長い時間を必要としていた。
【００１４】
このため、本発明は、送気球を不要とするとともに、水銀柱内に空気層を介して残留した水銀を水銀タンク内の水銀溜り内に有効に回帰させることを可能とする水銀柱血圧計の提供を目的とする。
【課題を解決するための手段】
【００１５】
このため、本発明は、血圧測定用の水銀柱を収納する本体部と、前記本体部内において所定量の水銀を蓄え、前記水銀柱との間で水銀が連通する水銀タンクと、被診断者に巻き付けられた腕帯を介して前記水銀タンク内を選択的に加圧及び減圧可能な電動ポンプ手段と、前記水銀タンク内の圧力を前記水銀柱内の水銀の高さで表示する水銀柱と、を有し、前記電動ポンプ手段は、（ａ）血圧測定に先立って、前記水銀タンク内の圧力を減圧することにより、前記水銀柱内に残留した水銀を前記水銀タンク内に回収し、（ｂ）血圧測定時には、前記水銀タンク内の圧力を加圧することにより、前記水銀タンク内の水銀を前記水銀柱の所定レベルまで上昇させることを特徴とする水銀柱血圧計を提供するものである。
【００１６】
ここで、本発明の第１の実施の形態においては、前記電動ポンプ手段は、直流電動モータにより駆動され、（ａ）前記直流モータを一の方向に回転駆動させることにより前記水銀タンク内の圧力を加圧し、（ｂ）前記直流モータを他の方向に回転駆動させることにより前記水銀タンク内の圧力を減圧する。
【００１７】
ここで、前記直流モータを他の方向に回転駆動は、１秒以下の所定の時間で自動停止させるようにする。このため他の方向への回転駆動のためのオン時間が自由に設定できるワンショット・タイマーを利用するとよい。そして、前記電動ポンプの電源は、電池又は商用電源から所定の直流電圧を発生させる電源装置であり、前記電動ポンプ及び前記電源は、前記本体部内に収納される。このため、前記本体部には、前記電動ポンプの起動をオン／オフする電源スイッチと、前記直流モータの回転方向を他の方向に切り替えるための方向スイッチと、が設けられるのである。
【００１８】
また、本願は、その第２の実施の形態として、血圧測定用の水銀柱を収納する本体部と、前記本体部内において所定量の水銀を蓄え、前記水銀柱との間で水銀が連通する水銀タンクと、被診断者に巻き付けられた腕帯を介して前記水銀タンク内を加圧する電動ポンプ手段と、前記水銀タンク内の圧力を前記水銀柱内の水銀の高さで表示する水銀柱と、を有し、前記電動ポンプは、一方向に回転する電動モータにより駆動され、（ａ）前記水銀柱の上端部に設けられた上部開口から圧縮空気を注入することにより前記水銀タンク内の圧力を減圧し、（ｂ）前記水銀タンクに連通する下部開口から圧縮空気を注入することにより前記水銀タンク内の圧力を加圧する、ことを特徴とする水銀柱血圧計を提供するものである。これにより、本第２の実施形態に係る水銀柱血圧計においては、簡易な機構のポンプを使用できるのである。
【発明の効果】
【００１９】
本発明によれば、血圧測定の開示時点において、水銀タンク内の水銀が、水銀柱の圧力目盛りの零点を超えて水銀柱内に侵入する場合や、空気層を含む多層に分離した状態となる場合に、全ての水銀を水銀タンク内に有効に回収するので、正確で迅速な血圧測定を可能とした。
【００２０】
また、従来の水銀柱血圧計における送気球の替へて電動モータを使用するので、血圧測定のための操作が極めて簡単で、短時間に正確な血圧測定を可能にしたのである。
【発明を実施するための最良の形態】
【００２１】
以下、図面を参照して、本発明の実施の形態について詳細に説明する。
図１は、本発明の第１の実施形態に係る水銀柱血圧計１０の全体構成を示す構成図である。図１に示すように、本実施形態に係る水銀柱血圧計１０は、後述する水銀柱９１を収納して保護する本体部９０と、空気圧目盛り付きの水銀柱９１と、水銀柱９１と連結され、水銀を溜めた水銀タンク９２と、水銀タンク９２に空気を送り込むチューブ９３と、チューブ９３と連結され、被診断者の例えば上腕に巻き付ける腕帯９４と、腕帯９４に連結され水銀タンク９２内に空気を送り込む電動ポンプ９６と、を備える。ここで、腕帯９４に連結するチューブ９３は、水銀タンク９２に連通する電動ポンプ９６の空気吹出口である下部開口９８に接続されている。この他に、腕帯９４に聴音部を接続した聴診器（図示は省略）を使用する。
【００２２】
しかし、本水銀柱血圧計１０は携帯可能であり、持ち運びしている時に一定以上の振動や衝撃が加えられると、水銀タンク９２内の水銀の一部が、水銀タンク９２内の水銀溜りから遊離して、圧力目盛りの零点（圧力零を示す基準点）を超えて水銀柱１内に侵入してしまう事態が多々生じてしまう。この場合、遊離した水銀を水銀タンク９２内の水銀溜りに回収しなければ正確な血圧測定は不可能である。
【００２３】
このため、本水銀柱血圧計１０においては、水銀柱内に遊離した水銀を特別の回帰機構を設けることなく、水銀タンク９２内の水銀溜りに回収するのである。このために、送気球（図５の符合９５）に替わって押圧操作を繰り返すことなく水銀を上昇させるために使用される電動ポンプ９６を利用するのである。
【００２４】
電動ポンプ９６は、血圧測定に先立って、水銀タンク９２内の圧力を減圧することにより水銀柱９１内に残留した水銀を水銀タンク９２内に回収すると共に、血圧測定時には、水銀タンク９２内の圧力を加圧することにより、水銀タンク９２内の水銀を水銀柱９１の所定レベル（想定される最高血圧値以上のレベルであって、正常血圧の被診断者の場合１８０ｍＨｇ程度）まで上昇させる。
【００２５】
ここで、本実施の形態においては、電動ポンプ９６は、直流電動モータ（図示せず）により駆動され、直流モータを一の方向（例えば右方向）に回転駆動させることにより水銀タンク９２内の圧力を加圧し、直流モータを他の方向（例えば左方向の逆回転）に回転駆動させることにより水銀タンク９２内の圧力を減圧する。
【００２６】
ここで、直流モータ（図示せず）を他の方向に回転駆動して水銀タンク９２内の圧力を減圧する時間は、１秒以下の時間で充分である。このため、直流モータを逆回転させた場合は、自動停止させるようにする。この場合、直流モータを逆回転駆動のためのオン時間が自由に設定できるワンショット・タイマーを利用するとよい。
【００２７】
尚、直流モータは、パルスモータのみならず安価のブラシモータの使用が可能である。電動ポンプ９６の電源は、電池又は商用電源から所定の直流電圧を発生させる電源装置であり、この電動ポンプ９６及び電源は、本体９０内に収納される。このため、本体９０部には、電動ポンプ９６の起動をオン／オフする電源スイッチ（図２の符合６１１）と、直流モータの回転方向を短時間だけ他の方向（逆方向）に回転させるための方向スイッチ（図２の符合６１２）と、が設けられるのである。
【００２８】
本体部９０を構成する素材は、合成樹脂、金属（アルミダイカスト等）等が可能である。また、水銀タンク９２を構成する素材は、陶器、ガラス、金属、合成樹脂、等が可能である。そして、チューブ９３を構成する素材は、天然又は各種合成ゴム、合成樹脂等である。また、腕帯９４を構成する素材は、繊維（綿等）、合成樹脂（ナイロン等）、等が可能である。
【００２９】
以下、図１に示す第１の実施形態に係る本水銀柱血圧計１０の原理と使用法を説明する。
水銀柱９１内に遊離した水銀を水銀タンク９２内の水銀溜りに回収した後、被診断者の血圧を測定するには、水銀柱９１内の水銀上端が圧力目盛りの零点近辺に有ることを確認した後、電動ポンプ９６を一の方向（正方向）に回転させて、水銀タンク９２内にチューブ９３を介して圧縮された空気を送り込むと、水銀タンク９２内に圧力が加えられ、水銀タンク９２内の水銀は水銀柱９１内の水銀管内を上昇する。水銀柱９１の側面には、水銀柱９１に沿って、前記水銀の上端面のレベルを読み取るための目盛り（単位：ｍｍＨｇ）が刻まれている。ここで、血圧測定時には、チューブ９３は、水銀タンク９２に連通する電動ポンプ９６の空気吹出口である下部開口９８に接続される。
【００３０】
このようにして、被診断者の予想される血圧よりも高い空気圧を掛けた後、水銀タンク９２内の圧力を徐々に抜くことにより、今度は、水銀柱９１内の水銀が下降を開始する。そこで、腕帯９４に聴音部が接続された聴診器（図示せず）を用いて被診断者の脈音を聴取し、最初に前記脈音が聞こえた時の水銀柱９１内の水銀の上端面（頂面）のレベルを最高血圧値とし、前記脈音が消失した時の水銀柱９１内の前記水銀の上端面を最低血圧値とするのである。
【００３１】
このように、本水銀柱血圧計１０においては、従来の水銀柱血圧計における送気球（図５の符合９５）に替へて電動モータ９６を使用するので、血圧測定のための操作が極めて簡単で短時間に正確な血圧測定を可能にしたのである。また、血圧測定の開示時点において、水銀タンク９２内の水銀が、水銀柱の圧力目盛りの零点を超えて水銀柱内に侵入する場合や、空気層を含む多層に分離した状態となる場合に、全ての水銀を水銀タンク９２内に有効に回収するので、正確で迅速な血圧測定を実現したのである。
【００３２】
図２は、本実施形態に係る水銀柱血圧計の電動ポンプ９６を操作する操作パネルの構成を示す説明図である。図２に示す操作パネル６１は、電動ポンプ９６の電源を投入／切断する電源スイッチ６１１と、電動ポンプ９６を短時間（通常１秒以内）だけ逆回転させる方向スイッチ６１２と、最終的に電源を投入または切断するための送気釦６１３と、を備える。
【００３３】
ここで、電源スイッチ６１１と送気釦６１３とは電源回路に直列接続されており、両者が同時点で投入されている状態が存在しない限り、電動ポンプ９６は稼働しないようにする。
【００３４】
本実施形態に係る水銀柱血圧計の水銀柱１が、図６に示すような状態であった場合、まず、電源スイッチ６１１を投入した後、方向スイッチ６１２をオンさせることにより短時間だけ電動ポンプ９６（図１）を逆方向に投入する。その後、送気釦６１３を押下する。これにより、電動ポンプ９６が短時間だけ逆回転し、水銀タンク９２内に負の圧力が生じるので、水銀柱９１内に遊離していた水銀が水銀タンク２内に帰還されるのである。その後は、水銀タンク９２内の圧力が大気圧に戻るので、水銀タンク９２内の水銀は再び水銀柱９１内を上昇し、その上端面が、水銀柱９１内の圧力目盛りの零点近くに停止する。これにより、図６に示す水銀柱９１内に水銀の一部が遊離する状態が解消されるので、正確な血圧測定ができる状態となるのである。
【００３５】
なお、上述した遊離した水銀の水銀タンク９２内への回帰のための電動ポンプ９６の逆回転操作を行ったものの、水銀タンク９２内に回収されない水銀が残存する場合は、前記の操作繰り返すこととなる。
【００３６】
次に、全ての水銀が水銀タンク２内に回収された後、その先端が水銀柱９１内の圧力目盛りの零点位置の近辺にて停止した後に、通常の血圧測定を開始する。
【００３７】
まず、方向スイッチ６１２が正回転の方向に設定されているのを確認し、送気釦６１３を指で押下すると、水銀タンク９２内に空気の圧力が加えられ、水銀タンク９２内の水銀は水銀柱１内を上昇する。この上昇値として、被診断者の予想される血圧よりも高い圧力（正常血圧の場合は、１８０ｍＨＧ程度）を掛けた後、送気釦６１３から指を放す。これにより、電動ポンプ９６は電源回路から遮断され停止し、水銀タンク９２内の圧力は減少に転じる。これにより、水銀柱９１内の水銀は徐々に下降を開始する。そこで、腕帯９４に聴音部が接続された聴診器（図示せず）を用いて聴診器による被診断者の脈音を聴取し、最初に脈音が聞こえ始めた時の水銀柱９１内の水銀の上面レベルを最高血圧値とし、脈音が消失した時の水銀柱９１内の水銀の上面レベルを最低血圧値とする。
【００３８】
図３は、本発明の第２の実施形態に係る水銀柱血圧計の全体構成とその原理を説明するものである。図３に示す実施形態の水銀柱血圧計２０においては、１方向（正方向）にのみ回転する電動モータ（図示せず）を使用する。
【００３９】
図３に示すように、被診断者の血圧測定に先立って、水銀柱９１内に残留した水銀を水銀タンク９２内の水銀溜りに回帰させる必要がある。このため、先ず、水銀タンク９２に連通する下部開口９８と電動ポンプ９６の空気吹出口である下部開口９８の上端部に設けられた上部開口９７との間を連絡チューブ９５を用いて接続する。この状態で、電動ポンプ９６を短時間だけ回転駆動すると、電動ポンプからの圧縮空気が、水銀柱９１の上端側から入り込むので、水銀柱９１内に残留した水銀は、水銀タンク９２内の水銀溜りに強制的に回帰するのである。
【００４０】
そして、図１に示すように、連絡チューブ９５を取り外して、電動ポンプ９６の空気吹出口である下部開口９８に腕帯９４のチューブ９３を接続し、血圧測定をおこなうのである。
【００４１】
これにより、本第２の実施の形態においては、電動ポンプ９６の空気吹出口である下部開口９８へのチューブの差し替えにより、減圧方向に作動する必要がなく、加圧専用の電動ポンプ９８を使用することができるので、簡易な機構のポンプを使用できるのである。
【００４２】
以上詳しく説明したように、本発明に係る水銀柱血圧計においては、血圧測定用の水銀柱９１を収納する本体９０部と、本体９０内において所定量の水銀を蓄え、水銀柱９１との間で水銀が連通する水銀タンク９２と、被診断者に巻き付けられた腕帯９４を介して水銀タンク９２内を加圧又は減圧可能な電動ポンプ９６と、水銀タンク９２内の圧力を水銀柱９１内の水銀の高さで表示する水銀柱９１と、を有し、電動ポンプ９６は、（ａ）血圧測定に先立って、水銀タンク９２内の圧力を減圧することにより水銀柱９１内に残留した水銀を水銀タンク９２内に回帰回収し、（ｂ）血圧測定時には、水銀タンク９２内の圧力を加圧することにより、水銀タンク９２内の水銀を水銀柱９１の所定レベルまで上昇させて、血圧測定を行うのである。
【産業上の利用可能性】
【００４３】
本発明は、水銀柱を本体部に収納して携帯される水銀柱血圧計に関し、特に、血圧測定時において、水銀柱内に残留した水銀を水銀タンク内に回収する機能を有する水銀柱血圧計に関するものであり、産業上の利用可能性を有する。
【図面の簡単な説明】
【００４４】
【図１】本発明の第１の実施形態に係る水銀柱血圧計の全体構成を示す。
【図２】本実施形態に係る水銀柱血圧計の操作パネルの構成を示す。
【図３】本発明の第２の実施形態に係る水銀柱血圧計の全体構成とその原理を示す。
【図４】水銀柱血圧計の原理を示す説明図である。
【図５】従来の水銀柱血圧計の一般的な構成を示す説明図である。
【図６】水銀柱内に水銀が遊離した状態を示す説明図である。
【符号の説明】
【００４５】
１０：本水銀柱血圧計（第１の実施形態の例）
２０：本水銀柱血圧計（第２の実施形態の例）
３０：従来の水銀柱血圧計
９１：水銀柱
９２：水銀タンク
９４：腕帯
９６：電動ポンプ
９７：上部開口部
９８：下部開口部
６１：操作パネル
６１１：電源スイッチ
６１２：方向スイッチ
６１３：送気釦
【図１】
2007319499.tif 000003
【図２】
2007319499.tif 000004
【図３】
2007319499.tif 000005
【図４】
2007319499.tif 000006
【図５】
2007319499.tif 000007
【図６】
2007319499.tif 000008